(57)【要約】【課題】液晶表示パネルの駆動において、表示領域を分割することなく、表面側及び裏面側に異なる内容の表示を可能にすることにある。【解決手段】単一の液晶パネル１０と、その両面側に配置し且つ導光板２１，蛍光灯２２を内蔵したフロントライト２０，３０と、これらを駆動制御する制御回路１１とを有する。この制御回路１１は、１フレームもしくは１／２フレーム毎に液晶パネル１０の画面の表示およびフロントライト２０，３０の制御を切換え、液晶パネル１０の両面に異なる内容の表示を実現する。この結果、液晶パネル１０の画面を両側から同時に見たときに、独立した異なる画像を視認できる。【選択図】      図１
2006153969.tif 000002
【特許請求の範囲】
【請求項１】
単一の液晶パネルと、前記液晶パネルの両面側に配置した照光手段と、前記液晶パネルおよび前記照光手段を駆動制御する制御回路とを有し、前記制御回路より所定期間毎に前記液晶パネルの画面の表示および前記照光手段の制御を切換えることを特徴とする液晶表示装置。
【請求項２】
単一の液晶パネルと、前記液晶パネルの両面側に配置した複数のフロントライトと、前記液晶パネルを駆動制御する制御回路とを有し、前記制御回路より所定期間毎に前記液晶パネルの画面の表示および前記複数のフロントライトの制御を切換えることにより、前記液晶パネルの両面に異なる内容の表示を実現することを特徴とする液晶表示装置。
【請求項３】
前記制御回路は、画面の切換え周期を設定するフレーム切換設定部と、垂直同期信号，映像データにより前記液晶パネルの駆動を制御する駆動部とを備えたことを特徴とする請求項１もしくは請求項２記載の液晶表示装置。
【請求項４】
前記所定期間は、１フレームもしくは１／２フレームであることを特徴とする請求項１もしくは請求項２記載の液晶表示装置。
【請求項５】
・液晶パネルの表面側及び裏面側を駆動する周期を所定期間で切換えるための設定情報に基き、前記液晶パネル及び照光手段を制御し、前記液晶パネルの表面側及び裏面側に独立した異なる画像を表示することを特徴とする液晶表示装置の駆動方法。
【請求項６】
前記所定期間は、１フレームもしくは１／２フレームであることを特徴とする請求項５記載の液晶表示装置の駆動方法。
【発明の詳細な説明】
【技術分野】
【０００１】
本発明は液晶表示装置及びその駆動方法に関し、特に両面表示を可能とする液晶表示装置及びその駆動方法に関する。
【背景技術】
【０００２】
従来、液晶表示装置は、パソコンやプロジェクタ、あるいは端末機器の代表である携帯電話機などに、表示手段として使用されている。この液晶表示装置は、液晶表示パネルと、ＣＰＵやメモリを内蔵した駆動制御回路と、操作キーからなる操作部と、電源部とを備えている。その回路構成及び駆動方法は、適用される機器により異なり、特に駆動のための制御方法は要求される機器の目的や使用条件により大きく異なっている。
【０００３】
例えば、携帯電話機などに用いられる液晶表示装置は、１枚の液晶表示パネルの領域を２つにわけ、それぞれ表面表示領域及び裏面表示領域とし、両面表示を可能とするものが提案されている。このような例としては、例えば、特許文献１に開示された液晶表示装置が知られている。
【０００４】
かかる液晶表示装置は、液晶表示パネルの領域を２つに分割し、両面に表示するようにしている。しかも、この表示装置は、表面表示領域及び裏面表示領域を制御するためのコモン配線やセグメント配線を切換スイッチにより切換え、いずれか一方の領域に画像などを表示するように駆動している。このような構成の表示装置は、表面表示領域と裏面表示領域を同時に見ることを想定していないためである。すなわち、携帯端末機器の利用者は、携帯端末機器を折りたたんだ状態では、表面側（外側）のみを見ており、また機器を使用状態にしたときには、裏面側（内側）のみを見るためである。
【０００５】
また、液晶表示パネルにおいて、両面画像表示を行う例として、特許文献２に記載された両面型液晶画像表示装置および携帯情報機器がある。この両面型液晶画像表示装置および携帯情報機器は、液晶表示装置と、各種の制御手段を備えた本体部とから構成される。この液晶表示装置は、液晶パネルと、その両側にそれぞれ設けた導光板,調光ガラスと、表裏両側に設けたバックライトとしてのＬＥＤとを有している。また、本体部は、表示切替入力手段を有し、表示モードの切り替えを行うようにしている。
【０００６】
この特許文献２における液晶表示装置は、段落００３３，００３４，００４１の記載および図１〜図４からも構成，動作が明らかなように、表裏に同じ画像を表示し、表裏の表示モードを替えたりして、両面表示を可能にしている。
【０００７】
【特許文献１】特開２００１ー３１２２２８号公報（第４頁、図３）
【特許文献２】特開２００３ー０３５８９３号公報（第４頁、図１，図４）
【発明の開示】
【発明が解決しようとする課題】
【０００８】
上述した特許文献１に開示された構成では、コモン配線やセグメント配線を表表示領域と裏表示領域とを独立に表示制御することができない。このため、正常表示できるのは、表表示領域、若しくは裏表示領域のどちらか一方のみとなり、同時に表表示領域と裏表示領域を正常表示することはできない。すなわち、従来の携帯電話機に使用されている液晶表示装置は、同時に表表示領域と裏表示領域を見ることを想定していないことに起因している。また、従来の液晶表示装置は、液晶表示パネルの領域を２つに分割しなくては、両面に表示を行うことが出来ないという欠点がある。
【０００９】
また、上述した特許文献２に開示された構成では、１枚の液晶表示パネルで表示領域を分割していないが、前述の特許文献１と同様に、表面もしくは裏面のどちらか一方向から見ることを前提としている。この特許文献２に開示された液晶表示装置は、表示切替入力手段を備えているものの、表面表示と裏面表示の表示方向などを変えているものである。したがって、この液晶表示装置は、所定の期間で表面表示と裏面表示とを切換えることができないため、表裏で同じ内容の画像を表示し続けることになり、表示サービスの点で劣るという欠点がある。
【００１０】
本発明の目的は、上記従来例では実現できていない、１枚の液晶表示パネルで表示領域を分割することなく、表面側及び裏面側を同時に見た場合においても、異なる内容の表示を可能とする液晶表示装置及びその駆動方法を提供することにある。
【課題を解決するための手段】
【００１１】
本発明の液晶表示装置は、単一の液晶パネルと、前記液晶パネルの両面側に配置した照光手段と、前記液晶パネルおよび前記照光手段を駆動制御する制御回路とを有し、前記制御回路より所定期間毎に前記液晶パネルの画面の表示および前記照光手段の制御を切換えることを特徴としている。
【００１２】
また、本発明の液晶表示装置は、単一の液晶パネルと、前記液晶パネルの両面側に配置した複数のフロントライトと、前記液晶パネルを駆動制御する制御回路とを有し、前記制御回路より所定期間毎に前記液晶パネルの画面の表示および前記複数のフロントライトの制御を切換えることにより、前記液晶パネルの両面に異なる内容の表示を実現することを特徴としている。
【００１３】
さらに、本発明の液晶表示装置における制御回路は、画面の切換え周期を設定するフレーム切換設定部と、垂直同期信号，映像データにより前記液晶パネルの駆動を制御する駆動部とを備えて形成される。
【００１４】
さらに、本発明の液晶表示装置における所定期間は、１フレームもしくは１／２フレームであることを特徴としている。
【００１５】
また、本発明の液晶表示装置の駆動方法は、液晶パネルの表面側及び裏面側を駆動する周期を所定期間で切換えるための設定情報に基き、前記液晶パネル及び照光手段を制御し、前記液晶パネルの表面側及び裏面側に独立した異なる画像を表示することを特徴としている。
【００１６】
さらに、本発明の液晶表示装置の駆動方法における所定期間は、１フレームもしくは１／２フレームであることを特徴としている。
【発明の効果】
【００１７】
本発明の液晶表示装置及びその駆動方法によれば、単一のパネル構成でありながら、所定の期間で表面表示と裏面表示とを切換えることができるので、両面より同時に見た場合においても、表裏で異なる内容の表示を行うことができ、表示サービスを向上させることができるという効果がある。
【発明を実施するための最良の形態】
【００１８】
本発明は、単一の液晶パネルを用い、その液晶パネルを両面より同時に見た場合においても異なる内容の表示を可能とする液晶表示装置及びその駆動方法を提供することを特徴としている。
【００１９】
まず、本発明の液晶表示装置は、液晶パネルと、その両側に配置し且つそれぞれに導光板および蛍光灯を備えた一対もしくは二対のフロントライトと、液晶パネルの表面側及び裏面側を所定期間で交互に照光するための制御を行う制御回路（図２）とを有し、前記液晶パネルの表面側及び裏面側に異なる画像を表示することを特徴としている。
【００２０】
また、本発明の液晶表示装置の駆動方法は、液晶パネルの表面側及び裏面側を駆動する周期を所定期間で切換えるための設定情報に基き、前記液晶パネル及び照光手段としてのフロントライトの蛍光灯を制御し、前記液晶パネルの表面側及び裏面側に独立した異なる画像を表示することを特徴としている。
【実施例１】
【００２１】
次に、本発明の実施例について、図１乃至図６を参照して説明する。
【００２２】
図１は本発明の第１の実施例を説明するための液晶表示装置の構成図である。図１に示すように、本実施例の液晶表示装置は、液晶パネル１０と、その液晶パネル１０の両側（表面側および裏面側）に配置される照光手段としてのフロントライト２０および３０と、この液晶パネル１０を駆動制御するための制御回路１１とを有している。また、フロントライト２０，３０は、それぞれ液晶パネル１０に対して光を照射するための導光板２１，３１と、光源としての蛍光灯２２，３２とを備えている。この液晶パネル１０は、制御回路１１より観測点Ａ方向用の映像データ信号と観測点Ｂ方向用の映像データ信号を交互に入力される。それに合わせて、液晶パネル１０が観測点Ａ方向用の映像データ信号を表示しているとき、フロントライト３０は消灯し、フロントライト２０は点灯する。また、観測点Ｂ方向用の映像データ信号を液晶パネル１０が表示しているとき、フロントライト２０は消灯し、フロントライト３０は点灯する。このような表示動作を交互に繰り返すことにより、観測点Ａ，Ｂ両方向から同時に見た場合においても、異なる内容の表示を行うことが出来る。
【００２３】
すなわち、フロントライト２０は、観測点Ａ方向用の表示のためのフロントライトであり、前述したように、導光板２１と蛍光灯２２から構成される。同様に、フロントライト３０は、観測点Ｂ方向用の表示のためのフロントライトであり、前述したように、導光板３１と蛍光灯３２から構成される。したがって、液晶パネル１０は、制御回路１１で設定される所定時間にもとずいてフレーム切換を行い、交互に異なった（独立した）画像を表示することができる。要するに、本実施例では、各フロントライト２０，３０を液晶パネル１０に対するバックライトとして機能させている。尚、図１では蛍光灯２２，３２の位置をパネル１０の上辺に設けているが、これをパネル１０の下辺、右辺、左辺、左右両辺、上下両辺のどの位置に設置しても問題はなく、他の照光手段を用いてもよい。
【００２４】
図２は図１に示す液晶表示装置のフレーム切換を行う制御回路の主要ブロック構成図である。図２に示すように、この制御回路１１は、駆動電圧を供給する駆動部３３と、フレーム切換設定部３５と、表示モード設定部３６と、駆動制御部３４とを備え、映像データを作成するためのＣＰＵ３７，メモリ３８を内蔵している。駆動部３３は、垂直同期信号ＶｓｙｎｃとＣＰＵ３７からの映像データおよび駆動制御部３４からの設定情報により、液晶パネル１０への駆動電圧を作成すると共に、フロントライト２０，３０の蛍光灯２２，３２に対するオン，オフを制御する。フレーム切換設定部３５は、液晶パネル１０の両面に対する画面（フレーム）表示時間や切換時間を設定する。表示モード設定部３６は、液晶パネル１０の表示モードを設定する。駆動制御部３４は、これらの各設定部３５，３６で設定された情報により、駆動部３３に設定情報を送出する。
【００２５】
この結果、駆動部３３は、設定情報にもとずいて、表面側及び裏面側両面に対し、交互に異なった、すなわち独立した画像を表示することが出来る。したがって、携帯電話機などの利用者は、同時に表面側及び裏面側から見たとき、液晶パネル１０の表面側及び裏面側に異なった（独立した）画像が表示されているように、認識することが出来る。
【００２６】
図３は図１における駆動制御信号のタイミング図である。図３に示すように、本実施例は、フレーム周期で液晶パネルの表面表示と裏面表示とを切換えており、以下には映像データ信号の制御とフロントライトの制御タイミングについて説明する。
【００２７】
まず、前述した制御回路１１における駆動部３３は、垂直同期信号Ｖｓｙｎｃと映像データＡＤＩおよびＢＤＩを取り込む。この映像データＡＤＩは、液晶パネル１０の観測点Ａ用の表示をするための映像データ信号であり、ＡＤ０が１フレーム目の映像データ、ＡＤ１が２フレーム目の映像データ、ＡＤ２が３フレーム目の映像データを表している。一方、ＢＤＩは液晶パネル１０の観測点Ｂ用の表示をするための映像データ信号であり、ＢＤ０が１フレーム目の映像データ、ＢＤ１が２フレーム目の映像データ、ＢＤ２が３フレーム目の映像データを表している。したがって、制御回路１１の駆動部３３は、この観測点Ａ用映像データＡＤＩ，観測点Ｂ用映像データＢＤＩが交互に表示されるように、液晶パネル１０を制御する。
【００２８】
具体的には、観測点Ａ用映像データＡＤＩを液晶パネル１０に表示しているとき、制御回路１１は、フロントライト２０を点灯し、フロントライト３０を消灯する。また、観測点Ｂ用映像データＢＤＩを液晶パネル１０に表示しているとき、制御回路１１は、フロントライト３０を点灯し、フロントライト２０を消灯する。
【００２９】
このような制御により、液晶パネル１０を観測点Ａより見た場合、フロントライト２０が点灯、フロンライト３０が消灯しているので、観測者は観測点Ａ用映像データＡＤＩの表示を視認することが出来る。また、フロントライト２０が消灯、フロンライト３０が点灯している場合、観測点Ａ方向の透過光はフロントライト２０が点灯していたときに比べはるかに小さくなるので、ほぼ黒表示として認識される。例えば、使用周波数が６０Ｈｚのときは、１フレームの時間が１／６０秒となるので、Ａ方向から見た場合、Ｂ方向の表示画面は、黒っぽく表示される。しかし、１／６０秒で切換わった時、人の目には認識されない。
【００３０】
同様に、液晶パネル１０を観測点Ｂより見ると、フロントライト３０が点灯、フロンライト２０が消灯している場合、観測者は観測点Ｂ用映像データＢＤＩの表示を視認することが出来る。また、フロントライト３０が消灯、フロンライト２０が点灯しているとき、観測点Ｂ方向の透過光はフロントライト３０が点灯していたときに比べはるかに小さくなるので、ほぼ黒表示として認識することができる。
【００３１】
本実施例によれば、１フレーム周期で液晶パネルの表面表示と裏面表示を切換え、パネルの両側から同時に見たときでも、異なった画像を表示することが出来、表示サービスを向上させることができる。
【実施例２】
【００３２】
図４は本発明の第２の実施例を説明するための液晶表示装置の構成図である。図４に示すように、本実施例の液晶表示装置は、液晶パネル１０の表示を上半分と下半分とに分割し、半フレーム（１／２フレーム）毎に表面側（Ａ方向）と裏面側（Ｂ方向）表示とをそれぞれ切換える例である。この液晶表示装置は、液晶パネル１０と、その液晶パネル１０の両側に配置されるフロントライト４０，５０，６０および７０と、この液晶パネル１０を駆動制御するための制御回路１１とを有している。フロントライト４０および６０は、液晶パネル１０の上半分に対して光を照射し、フロントライト５０および７０は、液晶パネル１０の下半分に対して光を照射する。また、フロントライト４０，５０，６０および７０は、それぞれ液晶パネル１０に対して光を照射するための導光板４１，５１，６１および７１と、光源としての蛍光灯４２，５２，６２および７２とを備えている。この液晶パネル１０は、制御回路１１より観測点Ａ方向用の映像データ信号と観測点Ｂ方向用の映像データ信号を交互に入力される。それに合わせて、液晶パネル１０の上半分が観測点Ａ方向用の映像データ信号を表示し、下半分が観測点Ｂ方向用の映像データ信号を表示しているとき、フロントライト５０および６０は消灯し、フロントライト４０および７０は点灯する。また、液晶パネル１０の上半分が観測点Ｂ方向用の映像データ信号を表示し、下半分が観測点Ａ方向用の映像データ信号を表示しているとき、フロントライト４０および７０は消灯し、フロントライト５０および６０は点灯する。このような表示動作を交互に繰り返すことにより、観測点Ａ，Ｂ両方向から同時に見た場合においても、異なる内容の表示を行うことが出来る。
【００３３】
すなわち、フロントライト４０，５０は、それぞれ観測点Ａ方向用の表示のためのフロントライトであり、前述したように、導光板４１，５１と蛍光灯４２，５２から構成される。同様に、フロントライト６０，７０は、それぞれ観測点Ｂ方向用の表示のためのフロントライトであり、前述したように、導光板６１，７１と蛍光灯６２，７２から構成される。したがって、液晶パネル１０は、制御回路１１で設定される所定時間にもとずいてフレーム切換を行い、交互に異なった（独立した）画像を表示することができる。
【００３４】
また、本実施例における制御回路１１は、前述した図２の構成と同一であるので、その個々のブロック構成についての説明を省略するが、動作説明に当たっては、図２の回路名称を引用して説明する。
【００３５】
図５は図４における駆動制御信号のタイミング図である。図５に示すように、本実施例は、半フレーム周期で液晶パネルの表面表示と裏面表示とを切換えており、以下に映像データ信号の制御とフロントライトの制御タイミングについて説明する。
【００３６】
まず、前述した制御回路１１における駆動部３３は、垂直同期信号Ｖｓｙｎｃと映像データＡＤＩおよびＢＤＩを取り込む。この映像データＡＤＩは、液晶パネル１０の観測点Ａ用の表示をするための映像データ信号であり、ＡＤ０＿Ｕ（Ｕは上側）は１フレーム目の映像データの前半分のラインデータ、ＡＤ０＿Ｄ（Ｄは下側）は１フレーム目の映像データの後半分のラインデータを示す。したがって、ＡＤ０＿Ｕ＋ＡＤ０＿Ｄで１フレーム分の映像データとなる。同様に、ＡＤ１＿Ｕ，ＡＤ１＿Ｄは２フレーム目の映像データ、ＡＤ２＿Ｕ，ＡＤ２＿Ｄは３フレーム目の映像データをそれぞれ表している。
【００３７】
一方、映像データＢＤＩは、液晶パネル１０の観測点Ｂ用の表示をするための映像データ信号であり、ＢＤ０＿Ｕは１フレーム目の映像データの前半分のラインデータ、ＢＤ０＿Ｄは１フレーム目の映像データの後半分のラインデータを示す。したがって、ＢＤ０＿Ｕ＋ＢＤ０＿Ｄで１フレーム分の映像データとなる。同様に、ＢＤ１＿Ｕ，ＢＤ１＿Ｄが２フレーム目の映像データ、ＢＤ２＿Ｕ，ＢＤ２＿Ｄは３フレーム目の映像データをそれぞれ表している。
【００３８】
前述した制御回路１１の駆動部３３は、この観測点Ａ用映像データＡＤＩ，観測点Ｂ用映像データＢＤＩを、偶数フレームの表示がＡＤ＊＿Ｕ＋ＢＤ＊＿Ｄ、奇数フレームの表示がＢＤ＊＿Ｕ＋ＡＤ＊＿Ｄとなるように駆動し、液晶パネル１０を制御する。
【００３９】
このため、駆動部３３は、偶数フレームの映像データＡＤ＊＿Ｕ＋ＢＤ＊＿Ｄを液晶パネル１０に表示しているとき、フロントライト４０，７０を点灯し、フロントライト５０，６０を消灯する。また、駆動部３３は、奇数フレームの映像データＢＤ＊＿Ｕ＋ＡＤ＊＿Ｄを液晶パネル１０に表示しているとき、フロントライト４０，７０を消灯し、フロントライト５０，６０を点灯する。
【００４０】
このような制御手順により、観測点Ａより液晶パネル１０を見た場合、制御回路１１は、フロントライト４０、７０を点灯、フロンライト５０，６０を消灯しているので、パネル上半分は観測点Ａ用映像データＡＤ＊＿Ｕの表示を視認でき、下半分は黒表示として認識される。同様に、フロントライト４０，７０が消灯、フロントライト５０，６０が点灯している場合、パネル上半分は黒表示として認識され、下半分は観測点Ａ用映像データＡＤ＊＿Ｄの表示が視認できる。
【００４１】
次に、観測点Ｂより液晶パネル１０を見た場合、フロントライト４０，７０が点灯、フロントライト５０，６０が消灯しているとき、パネル上半分は黒表示として認識され、下半分は観測点Ｂ用映像データＢＤ＊＿Ｄの表示を視認できる。また、フロントライト４０，７０が消灯、フロントライト５０，６０が点灯しているとき、パネル上半分は観測点Ｂ用映像データＢＤ＊＿Ｄの表示を視認でき、下半分は黒表示として認識される。
【００４２】
かかる回路構成を採用し、上述した制御手順を行うことにより、単一のパネル構成でありながら、両面より同時に見た場合においても、異なる内容の表示を行うことができる。
【００４３】
図６は図５における表示動作を説明する液晶表示パネルの模式図である。図６に示すように、この表示動作は、液晶パネル１０に表示される１フレーム目の表示と２フレーム目の表示とを表している。また、各画面に付与した番号（１）〜（８）は、表示の順番を表している。
【００４４】
このように、本実施例によれば、１／２フレーム周期で液晶パネルの表面表示と裏面表示を切換え、パネルの両側から同時に見たときでも、異なった画像を表示することが出来、表示サービスを向上させることができる。
【図面の簡単な説明】
【００４５】
【図１】本発明の第１の実施例を説明するための液晶表示装置の構成図である。
【図２】図１に示す液晶表示装置のフレーム切換を行う制御回路の主要ブロック構成図である。
【図３】図１における駆動制御信号のタイミング図である。
【図４】本発明の第２の実施例を説明するための液晶表示装置の構成図である。
【図５】図４における駆動制御信号のタイミング図である。
【図６】図５における表示動作を説明する液晶表示パネルの模式図である。
【符号の説明】
【００４６】
１０    液晶パネル
１１    制御回路
２０，３０，４０，５０，６０，７０    フロントライト
２１，３１，４１，５１，６１，７１    導光板
２２，３２，４２，５２，６２，７２    蛍光灯
３３    駆動部
３４    駆動制御部
３５    フレーム切換設定部
３６    表示モード設定部
３７    ＣＰＵ
３８    メモリ
【図１】
2006153969.tif 000003
【図２】
2006153969.tif 000004
【図３】
2006153969.tif 000005
【図４】
2006153969.tif 000006
【図５】
2006153969.tif 000007
【図６】
2006153969.tif 000008